【手続補正書】
【提出日】平成19年11月21日(2007.11.21)
【手続補正１】
【補正対象書類名】特許請求の範囲
【補正対象項目名】全文
【補正方法】変更
【補正の内容】
【特許請求の範囲】
【請求項１】
記録材を搬送する搬送手段と、搬送された前記記録材にトナー像を転写する転写手段と、未定着トナー像を担持した記録材を加熱する加熱手段と、前記加熱手段とともに前記記録材を挟持搬送するための加圧手段とを有し、前記記録材の搬送路面内において記録材搬送方向に交差する方向を長手方向としたとき、前記加熱手段の長手方向の中心が前記記録材の搬送中心となるように構成された画像形成装置において、
前記搬送中心もしくはその近傍に対応する加熱手段部分の温度を検知する中央部温度検知手段と、
前記加熱手段長手方向において前記搬送中心を境にして一方側の加熱手段部分の端部温度を検知する少なくとも１つの一方側端部温度検知手段と、
前記加熱手段長手方向において前記搬送中心を境にして他方側の加熱手段部分の端部温度を検知する少なくとも１つの他方側端部温度検知手段と、
前記中央部温度検知手段による検知温度が所定の定着温度に維持されるように前記加熱手段への供給電力を制御し、かつ、前記一方側端部温度検知手段及び前記他方側端部温度検知手段により検知された端部温度に基づき前記加熱手段の非通紙領域が過熱状態にならないように前記加熱手段への供給電力あるいは前記記録材の搬送時間間隔を制御する制御手段とを有することを特徴とする画像形成装置。
【請求項２】
請求項１に記載の画像形成装置において、前記一方側端部温度検知手段と、前記他方側端部温度検知手段は、前記搬送中心に対して非対称の位置に配置され、前記制御手段は、前記一方側端部温度検知手段によって検知された端部温度と前記他方側端部温度検知手段によって検知された端部温度のうち、温度が高い方の端部温度に基づいて前記加熱手段への供給電力あるいは前記記録材の搬送時間間隔を制御することを特徴とする画像形成装置。
【請求項３】
請求項１に記載の画像形成装置において、前記制御手段は、前記一方側端部温度検知手段によって検知された端部温度と、前記他方側端部温度検知手段によって検知された端部温度のうち、一方の端部温度が他方の端部温度よりも高く、他方の端部温度が前記中央部温度検知手段による検知温度とほぼ同一であった場合には給紙部における記録材の配置が適切でないと判断することを特徴とする画像形成装置。
【手続補正２】
【補正対象書類名】明細書
【補正対象項目名】０００９
【補正方法】変更
【補正の内容】
【０００９】
上記目的を達成するために、本出願に係る第一の発明は、記録材を搬送する搬送手段と、搬送された前記記録材にトナー像を転写する転写手段と、未定着トナー像を担持した記録材を加熱する加熱手段と、前記加熱手段とともに前記記録材を挟持搬送するための加圧手段とを有し、前記記録材の搬送路面内において記録材搬送方向に交差する方向を長手方向としたとき、前記加熱手段の長手方向の中心が前記記録材の搬送中心となるように構成された画像形成装置において、前記搬送中心もしくはその近傍に対応する加熱手段部分の温度を検知する中央部温度検知手段と、前記加熱手段長手方向において前記搬送中心を境にして一方側の加熱手段部分の端部温度を検知する少なくとも１つの一方側端部温度検知手段と、前記加熱手段長手方向において前記搬送中心を境にして他方側の加熱手段部分の端部温度を検知する少なくとも１つの他方側端部温度検知手段と、前記中央部温度検知手段による検知温度が所定の定着温度に維持されるように前記加熱手段への供給電力を制御し、かつ、前記一方側端部温度検知手段及び前記他方側端部温度検知手段により検知された端部温度に基づき前記加熱手段の非通紙領域が過熱状態にならないように前記加熱手段への供給電力あるいは前記記録材の搬送時間間隔を制御する制御手段とを有することを特徴とする画像形成装置、である。
【手続補正３】
【補正対象書類名】明細書
【補正対象項目名】００１０
【補正方法】変更
【補正の内容】
【００１０】
本出願に係る第二の発明は、上記第一の発明において、前記一方側端部温度検知手段と、前記他方側端部温度検知手段は、前記搬送中心に対して非対称の位置に配置され、前記制御手段は、前記一方側端部温度検知手段によって検知された端部温度と前記他方側端部温度検知手段によって検知された端部温度のうち、温度が高い方の端部温度に基づいて前記加熱手段への供給電力あるいは前記記録材の搬送時間間隔を制御することを特徴とする画像形成装置、である。
【手続補正４】
【補正対象書類名】明細書
【補正対象項目名】００１１
【補正方法】変更
【補正の内容】
【００１１】
本出願に係る第三の発明は、上記第一の発明において、前記制御手段は、前記一方側端部温度検知手段によって検知された端部温度と、前記他方側端部温度検知手段によって検知された端部温度のうち、一方の端部温度が他方の端部温度よりも高く、他方の端部温度が前記中央部温度検知手段による検知温度とほぼ同一であった場合には給紙部における記録材の配置が適切でないと判断することを特徴とする画像形成装置、である。
【手続補正５】
【補正対象書類名】明細書
【補正対象項目名】００１９
【補正方法】変更
【補正の内容】
【００１９】
一方、所定の制御タイミングにてカセット給紙部７あるいは給紙トレイ（ＭＰトレイ：マルチ・パーパス・トレイ）８から記録材（記録紙）Ｐが１枚分離給紙され、シートパス（記録材搬送路）９でレジストローラ対１０の位置へ搬送される。レジストローラ対１０は回転停止制御状態においてニップ部で記録材Ｐの先端を一旦受け止めることで記録材Ｐの斜行修正をする。そして所定の制御タイミングにて回転駆動されて、記録材Ｐを感光ドラム１と転写ローラ５（転写手段）の当接部である転写ニップ部Ｔに給送する。
【手続補正６】
【補正対象書類名】明細書
【補正対象項目名】００２２
【補正方法】変更
【補正の内容】
【００２２】
転写ニップ部Ｔでトナー像の転写を受けた記録材Ｐは加熱装置である定着装置１１に導入されて、トナー像の熱定着を受ける。定着装置１１を出た記録材Ｐは排紙ローラ１２に中継ぎされて排紙口１３からプリンタ外の排紙トレイ１４にプリントとして排紙される。Ｓ３は排紙口１３の部分に配設した排紙センサである。プリンタ制御部１０１はこの排紙センサＳ３からの記録材有無検知信号により記録材Ｐがプリンタ外に排出されたかを確認する。
上記において、シートパス９、レジストローラ対１０、転写ニップ部Ｔ、定着装置１１、排紙ローラ１２等が、カセット給紙部７あるいは給紙トレイ８から給紙された記録材を排紙トレイ１４に向けて搬送する搬送手段である。
【手続補正７】
【補正対象書類名】明細書
【補正対象項目名】００２６
【補正方法】変更
【補正の内容】
【００２６】
定着装置１１は本実施例ではヒートローラ方式の加熱装置である。図２はこの定着装置１１の要部の横断側面図、図３は要部の縦断正面図である。この定着装置１１は、加熱手段としての定着ローラ（加熱ローラ）１１ａと、加圧手段としての弾性加圧ローラ１１ｂとの並行圧接ローラ対を基本構成とし、該ローラ対を回転させ、該ローラ対の相互圧接部である定着ニップ部Ｎに未定着トナー像ｔを形成担持させた記録材Ｐを導入して挟持搬送させ、定着ローラ１１ａの熱と、定着ニップ部Ｎの加圧力にて未定着トナー像ｔを記録材面に熱圧定着させるものである。
【手続補正８】
【補正対象書類名】明細書
【補正対象項目名】００３１
【補正方法】変更
【補正の内容】
【００３１】
制御手段としてのプリンタ制御部１０１は、この中央部温度検知手ＴＨ１から入力する定着ローラ表面温度情報が所定の設定定着温度に対応したものに維持されるように、電源部（不図示）からハロゲンヒータ１１ｃへの供給電力を制御して記録材通紙領域の定着ローラ表面温度を所望の設定定着温度に温調する。すなわち、プリンタ制御部１０１は、中央部温度検知手段ＴＨ１による検知温度が所定の定着温度に維持されるように定着ローラ１１ａへの供給電力を制御する。
【手続補正９】
【補正対象書類名】明細書
【補正対象項目名】００３６
【補正方法】変更
【補正の内容】
【００３６】
プリンタ制御部１０１は、この一方側端部温度検知手段ＴＨ２または他方側端部温度検知手段ＴＨ３から入力する非通紙部昇温温度情報に基づいて、定着ローラ１１ａの非通紙領域幅Ｃに対応する部分の温度が所定の許容温度以下になるように、すなわち、非通紙領域が過熱状態にならないように定着ローラ加熱源であるハロゲンヒータ１１ｃへの供給電力を制御する、あるいは記録材の搬送時間間隔（連続印字間隔、スループット）を変える等の対処制御を行う。